(57)【要約】      （修正有）【課題】  従来の突起付器具は指圧目的であるため、突起の大きさ、形状等から指圧にしか使用できなかった。【解決手段】  本件発明の突起材は、基材１の上面に多数の突起２が縦横に配列して突設され、個々の突起の裾の横に縦横に溝３が形成されている。突起は格子状配列とか千鳥配列とすることができる。突起２の形状やサイズは全て同じでもよいが、一部を異なるものとすることもできる。基材１は天然木材、合成木材、樹脂、ゴム等のいずれか又はそれらの複合材とすることができる。【選択図】  図１
2007044218.tif 000002
【特許請求の範囲】
【請求項１】
基材の上面に多数の突起が縦横に配列して突設され、個々の突起の裾の周囲に縦横に溝が形成されたことを特徴とする突起材。
【請求項２】
請求項１記載の突起材において、突起及び溝が格子状配列又は千鳥配列であることを特徴とする突起材。
【請求項３】
請求項１又は請求項２記載の突起材において、多数の突起の形状又はサイズが全て同じ又は一部が異なることを特徴とする突起材。
【請求項４】
請求項１乃至請求項３のいずれかに記載の突起材において、基材が天然木材、合成木材、積層木材、樹脂、ゴムのいずれか又はそれらの複合材であることを特徴とする突起材。
【発明の詳細な説明】
【技術分野】
【０００１】
本発明は薄板、厚板、ブロック材といった各種基材の上面に、多数の溝と突起が縦横に配列された突起材に関するものである。
【背景技術】
【０００２】
多数の突起を備えた器具は従来から各種ある。それらの例として突起付足踏み台、突起付マッサージ器（特許文献１参照）等がある。
【０００３】
【特許文献１】特開２００５−１６０６２０号公報
【発明の開示】
【発明が解決しようとする課題】
【０００４】
従来の突起付足踏み台や突起付マッサージ器は指圧目的のものであるため、突起が指圧に適した大きさ、形状、硬さに成形されており、指圧以外の用途に使用することはできなかった。
【課題を解決するための手段】
【０００５】
本発明の突起材は、足や背中の指圧に使用できるのは勿論のこと、椅子、スノコ、枕、シーツのような敷物、下駄、雪駄のような履物、滑り止め、天井材、床材、壁材、反響防止用壁材といった各種用途に使用可能なものである。
【０００６】
本件発明の突起材は、基材１の上面に多数の突起２が縦横に配列して突設され、個々の突起２の裾の周囲に縦横に溝３が形成されている。突起２及び溝３は格子状配列とか千鳥配列とすることができる。突起２の形状やサイズは全て同じでもよいが、一部を異なるものとすることもできる。基材１は天然木材、合成木材、積層合板、樹脂、ゴムのいずれか又はそれらの複合材とすることができる。
【発明の効果】
【０００７】
本件出願の突起材は、基材の上面に多数の突起２が縦横に配列して突設され、個々の突起２の裾の周囲に縦横に溝３が形成されているので次のような効果がある。
（１）椅子の座板として使用してその突起の上に腰を下ろしたり、突起を足で踏んだりすれば指圧効果が得られる。
（２）シーツの下に敷いたり、シーツの代わりに敷物として使用して突起の上に寝たり、椅子の背当てとして使用してその突起に背中を押しつければ、背中を指圧することもできる。
（３）前記（１）、（２）のように突起の上に座ったり、突起の上に寝たりしても尻や背中が突起で支持されて基材に密着しないので、尻や背中がべとつかず、べとつきによる不快感が無い。
（４）溝が突起の裾の周囲に縦横に通っているため通気性がよい。
（５）多数の突起があるため階段の踏み板などに使用すれば滑り止め効果もある。
（６）突起と溝で音が反響しにくいため、コンサートホールや家屋の室内壁として使用することもできる。また、床材、天井材としても使用できる。
（７）基材が天然木材の場合は保温性が良く、寒い時期に使用しても温もりがあり、快適に使用できる。
【発明を実施するための最良の形態】
【０００８】
（実施形態１）
本発明の突起材の実施形態の一例を、図面を参照して以下に説明する。図１に示す突起材は基材１が天然木材製の平板の例であり、その上面に多数の突起２が縦横に格子状に配列されて突設されている。個々の突起２の裾の外周には溝３が縦横に形成されている。縦横の溝３は基材１の両端間を貫通して形成されている。基材１には桐、檜、杉といった各種の天然木材を使用することができる。
【０００９】
基材１の材質は天然木材、積層木材、木材チップをプレスした合成木材（合板）、樹脂、ゴム等としたり、それらの複合材としたりすることができる。
【００１０】
突起２は千鳥配列にすることもできる。突起２の形状やサイズは全て同じにすることもできるが、一部を異なるものとすることもできる。突起２は各種方法で成形可能であり、基材１が天然木材、合成木材の場合は基材１の上面に溝３をカッターで縦横に形成することにより四方が溝３で囲まれた突起２を形成することができる。
【００１１】
図１の突起３は図２、図４（ａ）（ｂ）に詳細に示すように四辺が丸みを帯び、頂部４もやや丸みを帯びたた角錐台の形状である。図３（ａ）（ｂ）の突起３は頂部４を図４の突起２の頂部４よりも小さめの円弧状にしたものであり、図５（ａ）（ｂ）の突起は半球状の突起である。突起２はこれ以外にも、頂部が弧状の角錐台、円錐台といった各種形状とすることができる。突起２の寸法も任意に選定でき、図４の場合は例えば次のようにすることができる。突起の裾の寸法Ａ、Ｂが１０ｍｍ±２ｍｍ程度、頂部４の寸法Ｃ、Ｄが２ｍｍ前後、高さＨが６ｍｍ前後である。溝３の幅は任意に選択できるが例えば縦横共に２ｍｍ前後とすることができる。
【００１２】
溝３の成形方法は種々ある。一例としては基材１が天然木材、合成木材の場合は、ロールカッターで基材１の上面を切削する方法がある。この場合は、数枚のロールカッターを一定間隔で配置し、それらロールカッターで基材１の上面を横方向或は縦方向に走行させて一度にロールカッターの枚数分の溝３を切削し、次いで、ロールカッターをその溝３と直交する方向に走行させて先に切削した溝３と直交する溝を切削する。この切削を繰り返して基材１の上面全体に溝３を格子状に切削する。この溝３の成形により縦横の溝３の内側に突起２が自動的に形成される。ロールカッターの刃は縦横に溝３を切削することにより所望形状の突起２が形成される形状にしておく。
【００１３】
基材１がゴム板の場合は前記方法で溝３や突起２を成形することができる。本発明の突起材の突起２の成形方法としては、作業性、コスト面で問題はあるが、溝３を彫刻機の刃によって１個分ずつ切削して突起２を形成することも、プレス金型を使用してプレス加工により溝３を形成することにより突起２を形成することもできる。基材１が樹脂やゴムの場合は樹脂成型金型を使用して一枚ずつ成型することもできる。
【００１４】
基材１に磁石粉末が混入されたゴム板、積層板、合板等を使用すれば、指圧用や運動器具として使用したときに磁石粉末の作用で血行が促進される。
【００１５】
基材１の縦横のサイズは任意に選択することができる。例えば、９００ｍｍ×１８００ｍｍ、１２００ｍｍ×２４００ｍｍ、１２００ｍｍ×４０００ｍｍ、１００ｍｍ×４０００ｍｍとすることもできる。この場合はそのまま壁板、天井板等として使用したり、必要に応じて所望寸法に裁断して使用したりすることができる。一例として図６に示すものは椅子であり、サイズの大きな突起材を切断した正方形の板材を椅子の座板とし、細長の板材を背当てとして使用してある。図７に示すものはスノコであり、サイズの大きな突起材を切断した細長板材を２本の支持台７の上に隙間を開けて取付けてある。いずれの場合も、基材１の裏面に滑り止めを取付けて、使用中に滑らず安心して使用できるようにしておくのがよい。
【００１６】
（実施形態２）
図８は肉厚の天然木材を基材１として使用した場合であり、この基材１は底面が水平であり、上面が斜面となっており、上面に溝３を格子状に切削して溝３の内側に突起２を成形したものである。この突起材は図８に示すように踵側を下にして（爪先上がりにして）乗って脹脛やアキレス腱を伸ばしたり、逆に踵を上にして人が乗ったりして運動具（健康器具）として使用したり、椅子に座った人が伸ばした足をのせる足載せ台として使用したりすることができる。図８のように傾斜した基材１は薄板を組み合わせて作ることもできる。
【００１７】
基材１は１５ｍｍ程度の薄い木材を樹脂製、ゴム製等の肉厚の台の上に貼り付けたものでもよい。樹脂製、ゴム製等の肉厚の台は所望の肉厚、形状、傾斜にすることができる。
【産業上の利用可能性】
【００１８】
（１）突起２と溝３による凹凸があるため、滑り止めを必要とする箇所、例えば、階段の踏み板、浴室のスノコ等に利用することができる。
（２）突起２と溝３による凹凸があるため、指圧を必要とする箇所、例えば、流しや洗面所の前に敷く踏み板、シーツの下に敷いたりシーツの代わりに敷く敷物、椅子の座板、椅子やソファの背当て、下駄やサンダル等の履物等々に利用することができる。
（３）突起２と溝３による凹凸により音の反響が防止されるので、室内の壁面やコンサートホールの壁板等に利用することもできる。
（４）天井材、床材、壁材等にも利用可能である。
【図面の簡単な説明】
【００１９】
【図１】本発明の突起材の一例を示す平面図。
【図２】図１の突起材のＡ−Ａ断面図。
【図３】（ａ）は本発明の突起材における突起の一例の平面図、（ｂ）は同突起の側面図。
【図４】（ａ）は本発明の突起材における他の突起の一例の平面図、（ｂ）は同突起の側面図。
【図５】（ａ）は本発明の突起材における突起が半球状の場合の平面図、（ｂ）は同突起の側面図。
【図６】本発明の突起材を使用した椅子の一例を示す斜視図。
【図７】本発明の突起材を使用したスノコの一例を示す斜視図。
【図８】本発明の他の突起材を運動具として使用した場合の側面図。
【符号の説明】
【００２０】
１  基材
２  突起
３  溝
４  頂部
７  支持台
【図１】
2007044218.tif 000003
【図２】
2007044218.tif 000004
【図３】
2007044218.tif 000005
【図４】
2007044218.tif 000006
【図５】
2007044218.tif 000007
【図６】
2007044218.tif 000008
【図７】
2007044218.tif 000009
【図８】
2007044218.tif 000010